(57)【特許請求の範囲】
【請求項１】
第１の搬送波信号を第１の変調波信号で変調した第１の振幅変調波信号と、前記第１の搬送波信号の周波数よりも高い周波数の第２の搬送波信号を前記第１の変調波信号よりも高い周波数の第２の変調波信号で変調した第２の振幅変調波信号との一方に合わせて、前記第１の搬送波信号の周波数に対応する第１の共振周波数と前記第２の搬送波信号の周波数に対応する第２の共振周波数とを切り替えて、前記第１の振幅変調波信号または前記第２の振幅変調波信号を出力する通信回路を備えた通信機器であって、
前記通信回路は、
前記第１の共振周波数と前記第２の共振周波数とを切り替えて前記第１の振幅変調波信号または前記第２の振幅変調波信号を出力するパルストランス回路を備え、
前記パルストランス回路は、
第１のコンデンサと第２のコンデンサとの直列回路に並列接続される一次巻線と、
前記第１のコンデンサに並列接続され、前記第１の振幅変調波信号または前記第２の振幅変調波信号の出力を指示する制御信号によりオンオフ動作するスイッチング素子と、
前記一次巻線から電圧が誘起され通信線に接続される二次巻線と、
を備え、
前記第２のコンデンサおよび前記一次巻線による第１の共振周波数と、前記第１のコンデンサ、前記第２のコンデンサおよび前記一次巻線による第２の共振周波数とを切り替える通信機器。
【請求項２】
第１の搬送波信号を第１の変調波信号で変調した第１の振幅変調波信号と、前記第１の搬送波信号の周波数よりも高い周波数の第２の搬送波信号を前記第１の変調波信号よりも高い周波数の第２の変調波信号で変調した第２の振幅変調波信号との一方に合わせて、前記第１の搬送波信号の周波数に対応する第１の共振周波数と前記第２の搬送波信号の周波数に対応する第２の共振周波数とを切り替えて、前記第１の振幅変調波信号または前記第２の振幅変調波信号を出力する通信回路を備えた通信機器であって、
前記通信回路は、
前記第１の共振周波数と前記第２の共振周波数とを切り替えて前記第１の振幅変調波信号または前記第２の振幅変調波信号を出力するパルストランス回路を備え、
前記パルストランス回路は、
前記第１の振幅変調波信号の入力によりオン動作する第１のスイッチング素子と、
前記第１のスイッチング素子に直列接続される第１のコンデンサと、
前記第１のコンデンサに並列接続される第１の一次巻線と、
前記第１の一次巻線から電圧が誘起され通信線に接続される第１の二次巻線と、
前記第２の振幅変調波信号の入力によりオン動作する第２のスイッチング素子と、
前記第２のスイッチング素子に直列接続される第２のコンデンサと、
前記第２のコンデンサに並列接続される第２の一次巻線と、
前記第２の一次巻線から電圧が誘起され通信線に接続される第２の二次巻線と、
を備え、
前記第１のコンデンサおよび前記第１の一次巻線による第１の共振周波数と、前記第２のコンデンサおよび前記第２の一次巻線による第２の共振周波数とを切り替える通信機器。
【請求項３】
第１の搬送波信号を第１の変調波信号で変調した第１の振幅変調波信号と、前記第１の搬送波信号の周波数よりも高い周波数の第２の搬送波信号を前記第１の変調波信号よりも高い周波数の第２の変調波信号で変調した第２の振幅変調波信号との一方に合わせて、前記第１の搬送波信号の周波数に対応する第１の共振周波数と前記第２の搬送波信号の周波数に対応する第２の共振周波数とを切り替えて、前記第１の振幅変調波信号または前記第２の振幅変調波信号を出力する通信回路を備えた通信機器であって、
前記通信回路は、
前記第１の共振周波数と前記第２の共振周波数とを切り替えて前記第１の振幅変調波信号または前記第２の振幅変調波信号を出力するパルストランス回路を備え、
前記パルストランス回路は、
前記第１の振幅変調波信号の入力によりオン動作する第１のスイッチング素子と、
前記第１のスイッチング素子に直列接続される第１のコンデンサと、
前記第２の振幅変調波信号の入力によりオン動作する第２のスイッチング素子と、
前記第２のスイッチング素子に直列接続される第２のコンデンサと、
前記第１のコンデンサにタップを介さずに並列接続され、前記第２のコンデンサにタップを介して並列接続される一次巻線と、
前記一次巻線から電圧が誘起され通信線に接続される二次巻線と、
を備え、
前記第１のコンデンサおよび前記一次巻線による第１の共振周波数と、前記第２のコンデンサおよび前記一次巻線による第２の共振周波数とを切り替える通信機器。
【請求項４】
通信先のデータレートを確認し、確認結果に基づいてデータレートを変更した後に通信を開始する請求項１から請求項３の何れか一項に記載の通信機器。
【発明の詳細な説明】
【技術分野】
【０００１】
本発明は、空気調和機および給湯器を代表とする機器本体とリモートコントローラとを備え、通信線を介して相互に通信を行う通信機器に関する。
【背景技術】
【０００２】
特許文献１に代表される従来の通信装置では、通信線を介して機器本体がリモートコントローラへ給電を行うことが多い。そのため機器本体とリモートコントローラとの通信時には直流成分を持たず実装が簡易である振幅偏移変調（Ａｍｐｌｉｔｕｄｅ  Ｓｈｉｆｔ  Ｋｅｙｉｎｇ：ＡＳＫ）が広く用いられている。またＡＳＫ通信回路は、データ信号の高調波を低減するためパルストランス回路を介してデータ信号を送信する構成が一般的である。
【先行技術文献】
【特許文献】
【０００３】
【特許文献１】特開２０１４−１９２８４０号公報
【発明の概要】
【発明が解決しようとする課題】
【０００４】
近年、機器の制御の高度化により制御データが増大する傾向にあり、機器本体とリモートコントローラとの間に伝送される通信データ量が増大し、データレートの高速化が必要とされている。一方、リモートコンローラまたは設備機器の一方が故障した際の入れ替え対応として、他方で扱われるデータレートが低速でも通信ができる必要がある。しかし低速データレートで動作するリモートコンローラまたは設備機器が取り扱い可能な搬送波周波数のＡＳＫ通信においてデータレートを上げようとすると、高速データレートに対応していないリモートコンローラまたは設備機器に内蔵されるパルストランス回路で信号の鈍りが生じ、通信エラーが増加してしまう課題があった。
【０００５】
本発明は、上記に鑑みてなされたものであって、通信エラーの増加を抑制できる通信機器を得ることを目的とする。
【課題を解決するための手段】
【０００６】
上述した課題を解決し、目的を達成するために、本発明の通信機器は、第１の搬送波信号を第１の変調波信号で変調した第１の振幅変調波信号と、前記第１の搬送波信号の周波数よりも高い周波数の第２の搬送波信号を前記第１の変調波信号よりも高い周波数の第２の変調波信号で変調した第２の振幅変調波信号との一方に合わせて、前記第１の搬送波信号の周波数に対応する第１の共振周波数と前記第２の搬送波信号の周波数に対応する第２の共振周波数とを切り替えて、前記第１の振幅変調波信号または前記第２の振幅変調波信号を出力する通信回路を備えた通信機器である。前記通信回路は、前記第１の共振周波数と前記第２の共振周波数とを切り替えて前記第１の振幅変調波信号または前記第２の振幅変調波信号を出力するパルストランス回路を備える。前記パルストランス回路は、第１のコンデンサと第２のコンデンサとの直列回路に並列接続される一次巻線と、前記第１のコンデンサに並列接続され、前記第１の振幅変調波信号または前記第２の振幅変調波信号の出力を指示する制御信号によりオンオフ動作するスイッチング素子と、前記一次巻線から電圧が誘起され通信線に接続される二次巻線と、を備える。前記第２のコンデンサおよび前記一次巻線による第１の共振周波数と、前記第１のコンデンサ、前記第２のコンデンサおよび前記一次巻線による第２の共振周波数とを切り替える。
【発明の効果】
【０００７】
本発明によれば、通信エラーの増加を抑制できるという効果を奏する。
【図面の簡単な説明】
【０００８】
【図１】本発明の実施の形態に係る通信機器およびリモートコントローラの構成図
【図２】図１に示すパルストランス回路、データ送信回路およびデータ受信回路の構成図
【図３】図１に示すパルストランス回路の第１の変形例を示す図
【図４】図１に示すパルストランス回路の第２の変形例を示す図
【図５】図１に示すパルストランス回路の第３の変形例を示す図
【発明を実施するための形態】
【０００９】
以下に、本発明の実施の形態にかかる通信機器を図面に基づいて詳細に説明する。なお、この実施の形態によりこの発明が限定されるものではない。
【００１０】
実施の形態．
図１は本発明の実施の形態に係る通信機器の構成図である。図２は図１に示すパルストランス回路、データ送信回路およびデータ受信回路の構成図である。
【００１１】
図１に示す通信機器１００は、空気調和機および給湯器を代表とする宅内機器またはビル内機器の本体である機器本体１と、機器本体１を操作するためのリモートコントローラ２と、機器本体１およびリモートコントローラ２を接続する通信線９とを備える。機器本体１とリモートコントローラ２との間で伝送されるデータ信号は、例えばリモートコントローラ２により機器本体１を操作するための操作信号と、操作信号を受信した機器本体１がリモートコントローラ２へ応答する信号と、機器本体１の運転状態を表す信号である。
【００１２】
機器本体１はリモートコントローラ２との間でデータ信号の送受信をするための通信回路１１０を備える。通信回路１１０は、パルストランス回路３ａ、データ送信回路４ａ、ＡＳＫ変調回路５ａ、データ受信回路６ａ、ＡＳＫ復調回路７ａ、制御部８ａおよび給電回路１０を備える。図１では機器本体１が備える通信回路１１０以外の構成要素の図示を省略している。当該構成要素の一例としては、機器本体１が空気調和機であれば室内機および室外機に搭載される電動機と電動機の駆動装置と冷凍サイクル機構である。
【００１３】
制御部８ａは、リモートコントローラ２との間でデータ信号の送受信を行い、リモートコントローラ２から送信されたデータ信号に基づき機器本体１の制御を行う回路であり、例えばマイクロコントローラで構成される。
【００１４】
制御部８ａには、データ出力端子８１、データ入力端子８２および制御端子８３が設けられている。データ出力端子８１はＡＳＫ変調回路５ａの入力に接続され、制御部８ａで生成された第１の変調波信号ｂ１または第２の変調波信号ｂ２を出力する端子である。データ入力端子８２はＡＳＫ復調回路７ａの出力に接続され、ＡＳＫ復調回路７ａから出力された第１の変調波信号ｂ１または第２の変調波信号ｂ２を入力する端子である。制御端子８３は、第１の変調波信号ｂ１または第２の変調波信号ｂ２の出力を示す制御信号２０を出力する端子である。
【００１５】
制御部８ａは、特定周波数の第１の変調波信号ｂ１と、第１の変調波信号ｂ１の周波数よりも高い周波数の第２の変調波信号ｂ２とを選択して出力する。第１の変調波信号ｂ１のデータレートは例えば１，２００ｂｐｓであり、第２の変調波信号ｂ２のデータレートは例えば４，８００ｂｐｓである。
【００１６】
例えばユーザが１，２００ｂｐｓでリモートコントローラ２との通信を行うことを選択した場合、制御部８ａは選択された１，２００ｂｐｓの第１の変調波信号ｂ１を生成すると共に、第１の変調波信号ｂ１の出力を示す制御信号２０を出力する。このときの制御信号２０はＨｉｇｈレベルの信号である。ユーザが４，８００ｂｐｓでリモートコントローラ２との通信を行うことを選択した場合、制御部８ａは選択された４，８００ｂｐｓの第２の変調波信号ｂ２を生成すると共に第２の変調波信号ｂ２の出力を示す制御信号２０を出力する。このときの制御信号２０はＬｏｗレベルの信号である。
【００１７】
ＡＳＫ変調回路５ａには第１の搬送波信号ｆ１と、第１の搬送波信号ｆ１の周波数よりも高い周波数の第２の搬送波信号ｆ２とが入力される。本実施の形態では第１の変調波信号ｂ１のデータレートである１，２００ｂｐｓで通信するときの第１の搬送波信号ｆ１の周波数は５０ｋＨｚである。第２の変調波信号ｂ２のデータレートである４，８００ｂｐｓで通信するときの第２の搬送波信号ｆ２の周波数は２００ｋＨｚである。
【００１８】
ＡＳＫ変調回路５ａは、制御部８ａから出力された制御信号２０に応じて、制御部８ａから出力された第１の変調波信号ｂ１で第１の搬送波信号ｆ１を変調した第１の振幅変調波信号ｃ１を出力し、または制御部８ａから出力された第２の変調波信号ｂ２で第２の搬送波信号ｆ２を変調した第２の振幅変調波信号ｃ２を出力する。なおＡＳＫ変調回路５ａは、制御部８ａから信号が出力されないときには振幅変調波信号を出力しない。ＡＳＫ変調回路５ａは、例えばマイクロコントローラにより構成される。
【００１９】
データ送信回路４ａは、ＡＳＫ変調回路５ａから出力された第１の振幅変調波信号ｃ１または第２の振幅変調波信号ｃ２を、リモートコントローラ２への送信に必要なレベルまで増幅してパルストランス回路３ａへ出力する回路であり、図２に示すようにトランジスタであるスイッチング素子Ｑ２を有して構成される。スイッチング素子Ｑ２は図示しないバイアス回路によりバイアスされている。
【００２０】
データ受信回路６ａは、パルストランス回路３ａを介してリモートコントローラ２から送信された第１の振幅変調波信号ｃ１または第２の振幅変調波信号ｃ２を、ＡＳＫ復調回路７ａにおける復調に必要なレベルまで増幅してＡＳＫ復調回路７ａへ出力する回路であり、図２に示すようにトランジスタであるスイッチング素子Ｑ３とスイッチング素子Ｑ３に直列接続される抵抗Ｒ１とを有する。スイッチング素子Ｑ２，Ｑ３は図示しないバイアス回路によりバイアスされている。
【００２１】
ＡＳＫ復調回路７ａは、制御部８ａから出力された制御信号２０に応じて、データ受信回路６ａから出力された第１の振幅変調波信号ｃ１から第１の変調波信号ｂ１を復調し、またはデータ受信回路６ａから出力された第２の振幅変調波信号ｃ２から第２の変調波信号ｂ２を復調する回路であり、データ受信回路６ａから信号が出力されないときには変調波信号を出力しない。ＡＳＫ復調回路７ａは例えばダイオード検波回路およびマイクロコントローラにより構成される。
【００２２】
機器本体１が備える直流電源は、バイパスコンデンサの影響でデータ信号に対するインピーダンスが低いため、通信線９に直接接続すると、通信線９上でデータ信号を伝達することができない。給電回路１０は、通信線９上のデータ信号に対するインピーダンスを上昇させる回路であり、例えばチョークコイルにより構成され、直流電源で生成された直流電力を通信線９を介してリモートコントローラ２に供給する。
【００２３】
リモートコントローラ２は、機器本体１との間でデータ信号の送受信をするための通信回路１２０を備える。通信回路１２０は、パルストランス回路３ｂ、データ送信回路４ｂ、ＡＳＫ変調回路５ｂ、データ受信回路６ｂ、ＡＳＫ復調回路７ｂ、制御部８ｂおよび受電回路１１を備える。図１ではリモートコントローラ２が備える通信回路１２０以外の構成要素の図示を省略している。当該構成要素の一例としては、図示しない操作ボタンが押されたときに操作内容に対応した操作情報を表示する表示機能である。
【００２４】
制御部８ｂは制御部８ａと同様にデータ出力端子８１、データ入力端子８２および制御端子８３を備え、制御信号２０、第１の変調波信号ｂ１および第２の変調波信号ｂ２を出力する。ＡＳＫ変調回路５ｂはＡＳＫ変調回路５ａと同様に制御信号２０に応じて第１の振幅変調波信号ｃ１または第２の振幅変調波信号ｃ２を出力する。データ送信回路４ｂはデータ送信回路４ａと同様に第１の振幅変調波信号ｃ１または第２の振幅変調波信号ｃ２の機器本体１への送信に必要なレベルまで増幅してパルストランス回路３ｂへ出力する回路である。
【００２５】
データ受信回路６ｂは、データ受信回路６ａと同様にパルストランス回路３ｂを介して機器本体１から送信された第１の振幅変調波信号ｃ１または第２の振幅変調波信号ｃ２を、ＡＳＫ復調回路７ｂにおける復調に必要なレベルまで増幅して出力する回路である。ＡＳＫ復調回路７ｂは、ＡＳＫ復調回路７ａと同様に制御部８ｂから出力された制御信号２０に応じて、第１の振幅変調波信号ｃ１から第１の変調波信号ｂ１を復調し、または第２の振幅変調波信号ｃ２から第２の変調波信号ｂ２を復調する回路であり、データ受信回路６ｂから信号が出力されないときには変調波信号を出力しない。
【００２６】
受電回路１１は機器本体１から供給される直流電力を受電する回路である。リモートコントローラ２の電源回路は、バイパスコンデンサの影響でデータ信号に対するインピーダンスが低いため、通信線９に直接接続すると、通信線９上でデータ信号を伝達することができない。受電回路１１は、通信線９上のデータ信号に対するインピーダンスを上昇させる回路であり、例えばチョークコイルにより構成される。
【００２７】
機器本体１のパルストランス回路３ａは、制御信号２０に応じてデータ送信回路４ａで増幅された第１の振幅変調波信号ｃ１または第２の振幅変調波信号ｃ２を出力する回路である。リモートコントローラ２のパルストランス回路３ｂは、制御信号２０に応じてデータ送信回路４ｂで増幅された第１の振幅変調波信号ｃ１または第２の振幅変調波信号ｃ２を出力する回路である。パルストランス回路３ａおよびパルストランス回路３ｂは同様の回路構成を有している。以下では図２を用いてパルストランス回路３ａの構成例を説明する。
【００２８】
パルストランスＴ１を備えるパルストランス回路３ａは、制御信号２０によりオンオフ動作するトランジスタであるスイッチング素子Ｑ１と、スイッチング素子Ｑ１に直列接続された第１のコンデンサＣ３と、スイッチング素子Ｑ１と第１のコンデンサＣ３との直列回路に並列接続される第２のコンデンサＣ４と、当該直列回路に並列接続されると共に第２のコンデンサＣ４に並列接続される一次巻線Ｌ１と、一次巻線Ｌ１から電圧が誘起され通信線９に接続される二次巻線Ｌ２とを備える。
【００２９】
一次巻線Ｌ１および二次巻線Ｌ２によりパルストランスＴ１が構成される。パルストランス回路３ａは、第１のコンデンサＣ３、第２のコンデンサＣ４および一次巻線Ｌ１による第１の共振周波数と、第２のコンデンサＣ４および一次巻線Ｌ１による第２の共振周波数とを切り替える。第１のコンデンサＣ３および第２のコンデンサＣ４のキャパシタンスは等しい値である。
【００３０】
トランジスタであるスイッチング素子Ｑ１のベースは制御部８ａに接続され、制御部８ａから出力される制御信号２０によりオンオフ制御される。スイッチング素子Ｑ１のコレクタは第２のコンデンサＣ４の一端と一次巻線Ｌ１の一端との接続点に接続される。スイッチング素子Ｑ１のエミッタは第１のコンデンサＣ３の一端に接続され、第１のコンデンサＣ３の他端は第２のコンデンサＣ４の他端と一次巻線Ｌ１の他端との接続点に接続される。スイッチング素子Ｑ１のコレクタと第２のコンデンサＣ４と一次巻線Ｌ１との接続端には電源が接続される。
【００３１】
スイッチング素子Ｑ１がオンのとき、第１のコンデンサＣ３のキャパシタンスと第２のコンデンサＣ４のキャパシタンスと一次巻線Ｌ１のインダクタンスとによる第１の共振周波数が設定される。第１の共振周波数は、第１の搬送波信号ｆ１の周波数に対応する。スイッチング素子Ｑ１がオフのとき、第２のコンデンサＣ４のキャパシタンスと一次巻線Ｌ１のインダクタンスとによる第２の共振周波数が設定される。第２の共振周波数は、第２の搬送波信号ｆ２の周波数に対応する。
【００３２】
二次巻線Ｌ２と通信線９との間に接続されるコンデンサＣ５は直流電源カット用のコンデンサである。第１のコンデンサＣ３、第２のコンデンサＣ４および一次巻線Ｌ１の接続端はスイッチング素子Ｑ３のベースとスイッチング素子Ｑ２のコレクタとに接続される。スイッチング素子Ｑ３のコレクタは電源に接続され、スイッチング素子Ｑ３のエミッタは抵抗Ｒ１に接続される。
【００３３】
以下、通信機器１００の動作を説明する。以下では機器本体１からリモートコントローラ２にデータを送信する場合について説明する。
【００３４】
送信データのデータレートが１，２００ｂｐｓに設定されているとき、制御信号２０はＨｉｇｈレベルであり、パルストランス回路３ａのスイッチング素子Ｑ１がオンになり、パルストランス回路３ａの共振周波数は、第１の搬送波信号ｆ１の周波数に対応した周波数に設定される。
【００３５】
制御部８ａから出力された１，２００ｂｐｓの第１の変調波信号ｂ１は第１の搬送波信号ｆ１でＡＳＫ変調され、ＡＳＫ変調された第１の振幅変調波信号ｃ１は、データ送信回路４ａで増幅された後、フィルタリングされて通信線９上に送信される。
【００３６】
リモートコントローラ２においても同様に、受信データのデータレートが１，２００ｂｐｓに設定されているとき、制御信号２０はＨｉｇｈレベルであり、パルストランス回路３ｂのスイッチング素子Ｑ１がオンになり、パルストランス回路３ｂの共振周波数は、第１の搬送波信号ｆ１の周波数に対応した周波数に設定される。
【００３７】
通信線９を介して送信された第１の振幅変調波信号ｃ１は、パルストランス回路３ｂおよびデータ受信回路６ｂを介してＡＳＫ復調回路７ｂに入力され、第１の変調波信号ｂ１、すなわちデータ信号に変換され、データ信号は制御部８ｂに入力される。
【００３８】
送信データのデータレートが４，８００ｂｐｓに設定されているとき、制御信号２０はＬｏｗレベルであり、パルストランス回路３ａのスイッチング素子Ｑ１がオフになり、パルストランス回路３ａの共振周波数は、第２の搬送波信号ｆ２の周波数に対応した周波数に設定される。
【００３９】
制御部８ａから出力された４，８００ｂｐｓの第２の変調波信号ｂ２は第２の搬送波信号ｆ２でＡＳＫ変調され、ＡＳＫ変調された第２の振幅変調波信号ｃ２は、データ送信回路４ａで増幅された後、フィルタリングされて通信線９上に送信される。
【００４０】
リモートコントローラ２においても同様に、受信データのデータレートが４，８００ｂｐｓに設定されているとき、制御信号２０はＬｏｗレベルであり、パルストランス回路３ｂのスイッチング素子Ｑ１がオフになり、パルストランス回路３ｂの共振周波数は、第２の搬送波信号ｆ２の周波数に対応した周波数に設定される。
【００４１】
通信線９を介して送信された第２の振幅変調波信号ｃ２は、パルストランス回路３ｂおよびデータ受信回路６ｂを介してＡＳＫ復調回路７ｂに入力され、第２の変調波信号ｂ２、すなわちデータ信号に変換され、データ信号は制御部８ｂに入力される。
【００４２】
通信機器１００におけるデータレートの切り替えについて図１を用いて説明する。機器本体１が通信の主局であり、リモートコントローラ２が従局であるとする。通信開始時は機器本体１およびリモートコントローラ２が予め決められたデータレートの通信を開始する。データレートが１，２００ｂｐｓの第１の変調波信号ｂ１で通信を開始した場合、データレートを切り替えるときは、主局である機器本体１が従局のリモートコントローラ２に対してデータレート切り替え要求を送信する。データレート切り替え要求を受信したリモートコントローラ２は、要求に応じてデータレートを４，８００ｂｐｓに切り替える。データレート切り替え要求を送信した後の機器本体１もデータレートを４，８００ｂｐｓに切り替え、以降の通信はデータレートが４，８００ｂｐｓの第２の変調波信号ｂ２で実施される。
【００４３】
すなわち通信機器１００は、通信先のデータレートを確認し、確認結果に基づいてデータレートを変更した後に通信を開始する機能を有する。これにより通信機器１００は、通信エラーの増加を抑制できるだけでなく、自動で最適なデータレートを選択することができる。
【００４４】
図３はパルストランス回路の第１の変形例を示す図である。図３のパルストランスＴ１１を備えるパルストランス回路３ａは、制御信号２０によりオンオフ動作するスイッチング素子Ｑ１１と、スイッチング素子Ｑ１１に直列接続された第１のコンデンサＣ１１と、スイッチング素子Ｑ１１と第１のコンデンサＣ１１との直列回路に並列接続される第２のコンデンサＣ１２と、当該直列回路に並列接続されると共に第２のコンデンサＣ１２に並列接続される一次巻線Ｌ１１と、一次巻線Ｌ１１から電圧が誘起され通信線９に接続される二次巻線Ｌ１２とを備える。第１のコンデンサＣ１１および第２のコンデンサＣ１２のキャパシタンスは等しい値である。スイッチング素子Ｑ１１のコレクタと第２のコンデンサＣ１２と一次巻線Ｌ１１との接続端には電源が接続される。
【００４５】
図３のパルストランス回路３ａは、第１のコンデンサＣ１１および一次巻線Ｌ１１による第１の共振周波数と、第１のコンデンサＣ１１、第２のコンデンサＣ１２および一次巻線Ｌ１１による第２の共振周波数とを切り替える。
【００４６】
トランジスタであるスイッチング素子Ｑ１１のベースは制御部８ａに接続され、制御部８ａから出力される制御信号２０によりオンオフ制御される。スイッチング素子Ｑ１１のコレクタは第２のコンデンサＣ１２の一端と一次巻線Ｌ１１の一端との接続点に接続される。スイッチング素子Ｑ１１のエミッタは第１のコンデンサＣ１１と第２のコンデンサＣ１２との接続端に接続され、第１のコンデンサＣ１１の他端は一次巻線Ｌ１１の他端とスイッチング素子Ｑ３のベースとの接続点に接続される。二次巻線Ｌ１２と通信線９との間に接続されるコンデンサＣ１３は直流電源カット用のコンデンサである。
【００４７】
スイッチング素子Ｑ１１がオンのとき、第１のコンデンサＣ１１のキャパシタンスと一次巻線Ｌ１１のインダクタンスとによる第１の共振周波数が設定される。第１の共振周波数は、第１の搬送波信号ｆ１の周波数に対応する。スイッチング素子Ｑ１１がオフのとき、第１のコンデンサＣ１１および第２のコンデンサＣ１２の直列回路が構成され、直列回路のキャパシタンスと一次巻線Ｌ１１のインダクタンスとによる第２の共振周波数が設定される。第２の共振周波数は、第２の搬送波信号ｆ２の周波数に対応する。
【００４８】
図４はパルストランス回路の第２の変形例を示す図である。図４のパルストランスＴ２２を備えるパルストランス回路３ａは、図１のパルストランス回路３ａにおける共振周波数設定機能と、図１のデータ送信回路４ａにおける信号増幅機能とを合わせ持つ。
【００４９】
図４のパルストランス回路３ａは、第１の振幅変調波信号ｃ１の入力によりオン動作する第１のスイッチング素子Ｑ２１と、第１のスイッチング素子Ｑ２１に直列接続される第１のコンデンサＣ２１と、第１のコンデンサＣ２１に並列接続される第１の一次巻線Ｌ２１と、第１の一次巻線Ｌ２１から電圧が誘起され通信線９に接続される第１の二次巻線Ｌ２２とを備える。
【００５０】
また図４のパルストランス回路３ａは、第２の振幅変調波信号ｃ２の入力によりオン動作する第２のスイッチング素子Ｑ２２と、第２のスイッチング素子Ｑ２２に直列接続される第２のコンデンサＣ２２と、第２のコンデンサＣ２２に並列接続される第２の一次巻線Ｌ２３と、第２の一次巻線Ｌ２３から電圧が誘起され通信線９に接続される第２の二次巻線Ｌ２４とを備える。
【００５１】
パルストランス回路３ａは、第１のコンデンサＣ２１および第１の一次巻線Ｌ２１による第１の共振周波数と、第２のコンデンサＣ２２および第２の一次巻線Ｌ２３による第２の共振周波数とを切り替える。
【００５２】
第１のスイッチング素子Ｑ２１のベースには第１の振幅変調波信号ｃ１が入力され、第１のスイッチング素子Ｑ２１のコレクタは第１のコンデンサＣ２１と第１の一次巻線Ｌ２１との接続点に接続される。第１のスイッチング素子Ｑ２１のエミッタは接地される。
【００５３】
また第１のスイッチング素子Ｑ２１のコレクタはデータ受信回路６ａ内のスイッチング素子Ｑ２３のベースに接続される。スイッチング素子Ｑ２３のコレクタには電源が接続され、スイッチング素子Ｑ２３のエミッタには抵抗Ｒ２１が接続されている。
【００５４】
第２のスイッチング素子Ｑ２２のベースには第２の振幅変調波信号ｃ２が入力され、第２のスイッチング素子Ｑ２２のコレクタは第２のコンデンサＣ２２と第２の一次巻線Ｌ２３との接続点に接続される。第２のスイッチング素子Ｑ２２のエミッタは接地される。
【００５５】
また第２のスイッチング素子Ｑ２２のコレクタはデータ受信回路６ａ内のスイッチング素子Ｑ２４のベースに接続される。スイッチング素子Ｑ２４のコレクタには電源が接続され、スイッチング素子Ｑ２４のエミッタには抵抗Ｒ２２が接続されている。
【００５６】
第１のコンデンサＣ２１の一端と第１の一次巻線Ｌ２１の一端との接続端には電源が接続される。第２のコンデンサＣ２２の一端と第２の一次巻線Ｌ２３の一端との接続端には電源が接続される。
【００５７】
第１の二次巻線Ｌ２２と第２の二次巻線Ｌ２４は直列接続され、第１の二次巻線Ｌ２２と通信線９との間に接続されるコンデンサＣ２３は直流電源カット用のコンデンサである。
【００５８】
第１のコンデンサＣ２１のキャパシタンスは第２のコンデンサＣ２２のキャパシタンスより大きく、または第１の一次巻線Ｌ２１のインダクタンスは第２の一次巻線Ｌ２３のインダクタンスより大きい。
【００５９】
第１のスイッチング素子Ｑ２１に第１の振幅変調波信号ｃ１が入力されることにより、第１のコンデンサＣ２１のキャパシタンスと第１の一次巻線Ｌ２１のインダクタンスとによる第１の共振周波数が設定される。第１の共振周波数は、第１の搬送波信号ｆ１の周波数に対応する。
【００６０】
第２のスイッチング素子Ｑ２２に第２の振幅変調波信号ｃ２が入力されることにより、第２のコンデンサＣ２２のキャパシタンスと第２の一次巻線Ｌ２３のインダクタンスとによる第２の共振周波数が設定される。第２の共振周波数は、第２の搬送波信号ｆ２の周波数に対応する。
【００６１】
図５はパルストランス回路の第３の変形例を示す図である。図５のパルストランスＴ２２を備えるパルストランス回路３ａは、図１のパルストランス回路３ａにおける共振周波数設定機能と、図１のデータ送信回路４ａにおける信号増幅機能とを合わせ持つ。
【００６２】
図５のパルストランス回路３ａは、第１の振幅変調波信号ｃ１の入力によりオン動作する第１のスイッチング素子Ｑ３１と、第１のスイッチング素子Ｑ３１に直列接続される第１のコンデンサＣ３１と、第２の振幅変調波信号ｃ２の入力によりオン動作する第２のスイッチング素子Ｑ３２と、第２のスイッチング素子Ｑ３２に直列接続される第２のコンデンサＣ３２と、第１のコンデンサＣ３１に中間タップ３０を介さずに並列接続され、第２のスイッチング素子Ｑ３２に中間タップ３０を介して並列接続される一次巻線Ｌ３１と、一次巻線Ｌ３１から電圧が誘起され通信線９に接続される二次巻線Ｌ３２とを備える。
【００６３】
パルストランス回路３ａは、第１のコンデンサＣ３１および一次巻線Ｌ３１による第１の共振周波数と、第２のコンデンサＣ３２および一次巻線Ｌ３１による第２の共振周波数とを切り替える。
【００６４】
第１のスイッチング素子Ｑ３１のベースには第１の振幅変調波信号ｃ１が入力され、第１のスイッチング素子Ｑ３１のコレクタは第１のコンデンサＣ３１および一次巻線Ｌ３１との接続点に接続される。第１のスイッチング素子Ｑ３１のエミッタは接地される。
【００６５】
また第１のスイッチング素子Ｑ３１のコレクタはデータ受信回路６ａ内のスイッチング素子Ｑ２４のベースに接続される。スイッチング素子Ｑ２４のコレクタには電源が接続され、スイッチング素子Ｑ２４のエミッタには抵抗Ｒ２２が接続されている。
【００６６】
第２のスイッチング素子Ｑ３２のベースには第２の振幅変調波信号ｃ２が入力され、第２のスイッチング素子Ｑ３２のコレクタは第２のコンデンサＣ３２および一次巻線Ｌ３１の中間タップ３０との接続点に接続される。第２のスイッチング素子Ｑ３２のエミッタは接地される。
【００６７】
また第２のスイッチング素子Ｑ３２のコレクタはデータ受信回路６ａ内のスイッチング素子Ｑ２３のベースに接続される。スイッチング素子Ｑ２３のコレクタには電源が接続され、スイッチング素子Ｑ２３のエミッタには抵抗Ｒ２１が接続されている。
【００６８】
第１のコンデンサＣ３１の一端と第２のコンデンサＣ３２の一端と一次巻線Ｌ３１の一端との接続端には電源が接続される。
【００６９】
二次巻線Ｌ３２と通信線９との間に接続されるコンデンサＣ３３は直流電源カット用のコンデンサである。
【００７０】
第１のスイッチング素子Ｑ３１に第１の振幅変調波信号ｃ１が入力されることにより、第１のコンデンサＣ３１のキャパシタンスと一次巻線Ｌ３１のインダクタンスとによる第１の共振周波数が設定される。第１の共振周波数は、第１の搬送波信号ｆ１の周波数に対応する。
【００７１】
第２のスイッチング素子Ｑ３２に第２の振幅変調波信号ｃ２が入力されることにより、第２のコンデンサＣ３２のキャパシタンスと一次巻線Ｌ３１の中間タップ３０までのインダクタンスとによる第２の共振周波数が設定される。第２の共振周波数は、第２の搬送波信号ｆ２の周波数に対応する。
【００７２】
なお図２から図５では図１のパルストランス回路３ａの変形例を説明したが、図１のパルストランス回路３ｂも同様に構成されているものとする。図２から図５に示す構成例により、搬送波周波数を切り替えてもデータ信号の振幅が減衰したり、データ信号の高調波が増加したりすることを防止できる。
【００７３】
以上に説明したように本実施の形態に係る通信機器１００によれば、データレートを上げたときにパルストランス回路３ａにおける共振周波数を上げることができるため、同調回路または復調回路における信号の鈍りを改善でき、通信エラーの増加を抑制できる。
【００７４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７５】
１  機器本体、２  リモートコントローラ、３ａ，３ｂ  パルストランス回路、４ａ，４ｂ  データ送信回路、５ａ，５ｂ  ＡＳＫ変調回路、６ａ，６ｂ  データ受信回路、７ａ，７ｂ  ＡＳＫ復調回路、８ａ，８ｂ  制御部、９  通信線、１０  給電回路、１１  受電回路、２０  制御信号、３０  中間タップ、８１  データ出力端子、８２  データ入力端子、８３  制御端子、１００  通信機器、１１０，１２０  通信回路。
【図１】
0006621685.tif 000002
【図２】
0006621685.tif 000003
【図３】
0006621685.tif 000004
【図４】
0006621685.tif 000005
【図５】
0006621685.tif 000006